(57)【要約】【課題】低臭性で、ゲル、フィッシュアイ等の外観不良がなく、しかも長時間の連続製造が可能な再封性の良好な多層フィルム、その製造方法および該多層フィルムからなる袋を提供すること。【解決手段】熱可塑性樹脂（ａ）を含有してなる表面樹脂層（Ａ）と、スチレンブロックとジエンブロックとを含有するゴム質ブロック共重合体の水素添加物（ｂ１）と粘着付与剤（ｂ２）とを含有してなる粘着樹脂層（Ｂ）と、熱可塑性樹脂（ｃ）を含有してなるヒートシール樹脂層（Ｃ）とが順に積層され、ヒートシールされたヒートシール樹脂層（Ｃ）を引き剥がした場合に、ヒートシール樹脂層（Ｃ）が破断すると共にヒートシール樹脂層（Ｃ）と粘着樹脂層（Ｂ）の層間が剥離して、粘着樹脂層（Ｂ）がヒートシール部分において再封止可能な粘着状態で露出する多層フィルム、その製造方法およびこのフィルムからなる袋。【選択図】　なし。【特許請求の範囲】
【請求項１】
熱可塑性樹脂（ａ）を含有してなる表面樹脂層（Ａ）と、スチレンブロックとジエンブロックとを含有するゴム質ブロック共重合体の水素添加物（ｂ１）と粘着付与剤（ｂ２）とを含有してなる粘着樹脂層（Ｂ）と、熱可塑性樹脂（ｃ）を含有してなるヒートシール樹脂層（Ｃ）とが、（Ａ）／（Ｂ）／（Ｃ）の順に積層されている多層フィルムであって、ヒートシール樹脂層（Ｃ）と、このヒートシール樹脂層（Ｃ）とヒートシール可能な熱可塑性樹脂層とをヒートシールし、次いで引き剥がした場合に、ヒートシール樹脂層（Ｃ）が破断すると共にヒートシール樹脂層（Ｃ）と粘着樹脂層（Ｂ）の層間が剥離して、粘着樹脂層（Ｂ）がヒートシール部分において再封止可能な粘着状態で露出することを特徴とする多層フィルム。
【請求項２】
ゴム質ブロック共重合体の水素添加物（ｂ１）がスチレン−ブタジエンブロック共重合体（ＳＢ）の水素添加物、スチレン−ブタジエン−スチレンブロック共重合体（ＳＢＳ）の水素添加物およびスチレン−イソプレン−スチレンブロック共重合体（ＳＩＳ）の水素添加物からなる群から選ばれる１種以上のゴム質ブロック共重合体水素添加物である請求項１記載の多層フィルム。
【請求項３】
粘着樹脂層（Ｂ）とヒートシール樹脂層（Ｃ）の層間接着強度が２〜２０Ｎ／１５ｍｍで、かつ、表面樹脂層（Ａ）と粘着樹脂層（Ｂ）の層間接着強度よりも小さく、しかも、ヒートシール樹脂層（Ｃ）の厚さが０．５〜１０μｍの共押出多層フィルムである請求項２記載の多層フィルム。
【請求項４】
熱可塑性樹脂（ａ）がエチレン系樹脂またはプロピレン系樹脂で、かつ、熱可塑性樹脂（ｃ）がエチレン−（メタ）アクリル酸共重合体および／またはその金属中和物である請求項３記載の多層フィルム。
【請求項５】
粘着付与剤（ｂ２）がロジン系樹脂、テルペン系樹脂および石油樹脂からなる群から選ばれる１種以上の樹脂からなる樹脂である請求項１〜４のいずれか１項記載の多層フィルム。
【請求項６】
粘着樹脂層（Ｂ）中のゴム質ブロック共重合体の水素添加物（ｂ１）と粘着付与剤（ｂ２）の重量比（ｂ１／ｂ２）が５０／５０〜９８／２である請求項５記載の多層フィルム。
【請求項７】
熱可塑性樹脂（ａ）を含有してなる表面樹脂層（Ａ）用樹脂と、スチレンブロックとジエンブロックとを含有するゴム質ブロック共重合体の水素添加物（ｂ１）と粘着付与剤（ｂ２）とを含有してなる粘着樹脂層（Ｂ）用樹脂と、熱可塑性樹脂（ｃ）を含有してなるヒートシール樹脂層（Ｃ）用樹脂とを、それぞれ別の押出機で加熱溶融させ、（Ａ）／（Ｂ）／（Ｃ）の順でフィルム状に共押出積層成形する多層フィルムの製造方法であって、粘着樹脂層（Ｂ）とヒートシール樹脂層（Ｃ）の層間接着強度が２〜２０Ｎ／１５ｍｍで、かつ、表面樹脂層（Ａ）と粘着樹脂層（Ｂ）の層間接着強度よりも小さくなる組み合わせで、表面樹脂層（Ａ）用樹脂と粘着樹脂層（Ｂ）用樹脂とヒートシール樹脂層（Ｃ）用樹脂とを用いることを特徴とする多層フィルムの製造方法。
【請求項８】
ゴム質ブロック共重合体の水素添加物（ｂ１）がスチレン−ブタジエンブロック共重合体（ＳＢ）の水素添加物、スチレン−ブタジエン−スチレンブロック共重合体（ＳＢＳ）の水素添加物およびスチレン−イソプレン−スチレンブロック共重合体（ＳＩＳ）の水素添加物からなる群から選ばれる１種以上のゴム質ブロック共重合体水素添加物である請求項７記載の多層フィルムの製造方法。
【請求項９】
フィルムの全厚が２０〜２００μｍで、かつ、ヒートシール樹脂層（Ｃ）の厚さが０．５〜１０μｍとなる条件で共押出積層成形する請求項８記載の多層フィルムの製造方法。
【請求項１０】
熱可塑性樹脂（ａ）がエチレン系樹脂またはプロピレン系樹脂で、かつ、熱可塑性樹脂（ｃ）がエチレン−（メタ）アクリル酸共重合体および／またはその金属中和物である請求項９記載の多層フィルムの製造方法。
【請求項１１】
粘着付与剤（ｂ２）がロジン系樹脂、テルペン系樹脂および石油樹脂からなる群から選ばれる１種以上の樹脂からなる樹脂である請求項７〜１０のいずれか１項記載の多層フィルムの製造方法。
【請求項１２】
粘着樹脂層（Ｂ）中のゴム質ブロック共重合体の水素添加物（ｂ１）と粘着付与剤（ｂ２）の重量比（ｂ１／ｂ２）が５０／５０〜９８／２である、請求項１１記載の多層フィルムの製造方法。
【請求項１３】
請求項１〜６のいずれか１項記載の多層フィルムのヒートシール層同士を重ね合わせてヒートシールしてなるものであることを特徴とする袋。
【発明の詳細な説明】
【０００１】
【産業上の利用分野】
本発明は、加工時の熱安定性が良好で、臭気が少なく、良好な粘着性を有する再封止が可能な多層フィルム、その製造方法および該多層フィルムを用いてなる袋に関する。
【０００２】
【従来の技術】
従来の再封止が可能な多層フィルムとしては、基層、その基層に隣接した粘着接着剤の層及びその粘着接着剤層を覆っている表皮層からなる柔軟包装材料であって、▲１▼その包装材料の各表面は、その材料が包装機中で機械加工できるような摩擦係数を有しており、▲２▼その材料は、包装機のシールジョーによってそれ自身に対しシールされて、通常の取扱い中には閉じたままであるような初期接合強度を有するが、開封のためには手で容易に引き離されうるシールをもつパッケージを形成することができ、▲３▼この表皮層は、シールが引き離されるときには、破断して粘着接着剤がシール領域表面において露出され、それにより包装材料が手の圧力のみの適用によりシールの領域においてそれ自身に対してシールされてパッケージを再閉鎖しうる柔軟包装材料（特表平４−５０２５８８号公報）が知られている。
【０００３】
前記特表平４−５０２５８８号公報に記載の柔軟包装材料の粘着接着剤層用樹脂としては、スチレン・ブタジエンコポリマー、スチレン・イソプレンコポリマー、エチレン・酢酸ビニルコポリマー等のエラストマーと、テルペン樹脂、石油炭化水素樹脂等の粘着付与剤の混合物である感圧接着剤が例示されており、その実施例には、ポリ（エチレンテレフタレート）フィルム上に、イソプレン・スチレンブロックコポリマーと脂肪族石油炭化水素樹脂からなる粘着接着剤の層とポリスチレンからなる表皮層とを同時に加熱溶融押出することにより積層した多層フィルムや、高密度ポリエチレンフィルム上に、市販の感圧接着剤からなる粘着接着剤の層とアイオノマーからなる表皮層とを同時に加熱溶融押出することにより積層した多層フィルムが記載されている。
【０００４】
しかしながら、前記特表平４−５０２５８８号公報に記載の柔軟包装材料は、粘着接着剤層として粘着付与剤と共にスチレン・ブタジエンコポリマー、スチレン・イソプレンコポリマー等の熱安定性の劣るエラストマーを用いているため、臭気が強く、食品等の包装には不適な多層フィルムとなってしまうという欠点があるうえ、加熱溶融押出による製造を長時間行うと、粘着接着剤層にゲル、フィッシュアイ、流動乱れ等が発生し、フィルム外観が不良となり易いという欠点がある。特に、基層と粘着接着剤層と表皮層を、通常２００℃を越える高温で同時に加熱溶融して共押出積層成形する共押出多層フィルムの製造では、粘着接着剤層にゲル、フィッシュアイ、流動乱れ等が発生し易く、長時間連続で製造することは事実上不可能である。
【０００５】
【発明が解決しようとする課題】
本発明の課題は、低臭性で、ゲル、フィッシュアイ、流動乱れ等の外観不良がなく、良好な粘着性を有し、しかも長時間の連続製造が可能な再封性の良好な多層フィルム、その製造方法および該多層フィルムからなる袋を提供することである。
【０００６】
【課題を解決するための手段】
本発明者らは、表面樹脂層（Ａ）（前記特表平４−５０２５８８号公報の基材層に該当する。）と、粘着樹脂層（Ｂ）（前記特表平４−５０２５８８号公報の粘着接着剤層に該当する。）と、ヒートシール樹脂層（Ｃ）（前記特表平４−５０２５８８号公報の表皮層に該当する。）とが、（Ａ）／（Ｂ）／（Ｃ）の順に積層されている多層フィルムについて鋭意検討した結果、下記（１）および（２）の知見を見出し、本発明を完成するに至った。
た。
【０００７】
（１）粘着樹脂層（Ｂ）に粘着付与剤（ｂ２）と共に含有させるゴム質熱可塑性樹脂（前記特表平４−５０２５８８号公報のエラストマーに該当する。）として、スチレンブロックとジエンブロックとを含有するゴム質ブロック共重合体の水素添加物（ｂ１）を用いると、低臭性で、良好な粘着性を有し、しかも、長時間の連続製造が可能で、ヒートシール部を引き剥がした場合に、粘着樹脂層（Ｂ）がヒートシール部分において再封止可能な粘着状態で露出し、手による圧力だけで容易に再シールできる再封性多層フィルムとなり、容器の蓋材、容器、袋等として各種食品等の包装に好適に使用できること。
（２）しかも、前記多層フィルムは、２００℃を越える高温で同時に加熱溶融して共押出積層される共押出積層成形でも、粘着接着剤層（Ｂ）にゲルや流動乱れ等が発生がなく、長時間連続の製造が可能であること。
【０００８】
即ち、本発明は、熱可塑性樹脂（ａ）を含有してなる表面樹脂層（Ａ）と、スチレンブロックとジエンブロックとを含有するゴム質ブロック共重合体の水素添加物（ｂ１）と粘着付与剤（ｂ２）とを含有してなる粘着樹脂層（Ｂ）と、熱可塑性樹脂（ｃ）を含有してなるヒートシール樹脂層（Ｃ）とが、（Ａ）／（Ｂ）／（Ｃ）の順に積層されている多層フィルムであって、ヒートシール樹脂層（Ｃ）と、このヒートシール樹脂層（Ｃ）とヒートシール可能な熱可塑性樹脂層とをヒートシールし、次いで引き剥がした場合に、ヒートシール樹脂層（Ｃ）が破断すると共にヒートシール樹脂層（Ｃ）と粘着樹脂層（Ｂ）の層間が剥離すると共に粘着樹脂層（Ｂ）と表面樹脂層（Ａ）の層間が剥離して、粘着樹脂層（Ｂ）がヒートシール領域表面において再封止可能な粘着状態で露出することを特徴とする多層フィルムを提供するものである。
【０００９】
また、本発明は、熱可塑性樹脂（ａ）を含有してなる表面樹脂層（Ａ）用樹脂と、スチレンブロックとジエンブロックとを含有するゴム質ブロック共重合体の水素添加物（ｂ１）と粘着付与剤（ｂ２）とを含有してなる粘着樹脂層（Ｂ）用樹脂と、熱可塑性樹脂（ｃ）を含有してなるヒートシール樹脂層（Ｃ）用樹脂とを、それぞれ別の押出機で加熱溶融させ、（Ａ）／（Ｂ）／（Ｃ）の順でフィルム状に共押出積層成形する多層フィルムの製造方法であって、粘着樹脂層（Ｂ）とヒートシール樹脂層（Ｃ）の層間接着強度が２〜２０Ｎ／１５ｍｍで、かつ、表面樹脂層（Ａ）と粘着樹脂層（Ｂ）の層間接着強度よりも小さくなる組み合わせで、表面樹脂層（Ａ）用樹脂と粘着樹脂層（Ｂ）用樹脂とヒートシール樹脂層（Ｃ）用樹脂とを用いることを特徴とする多層フィルムの製造方法を提供するものである。
【００１０】
さらに、本発明は、前記多層フィルムのヒートシール層同士を重ね合わせてヒートシールしてなるものであることを特徴とする袋を提供するものである。
【００１１】
【発明の実施の形態】
以下に本発明を詳述する。
本発明の多層フィルムは、熱可塑性樹脂（ａ）を含有してなる表面樹脂層（Ａ）と、スチレンブロックとジエンブロックとを含有するゴム質ブロック共重合体の水素添加物（ｂ１）と粘着付与剤（ｂ２）とを含有してなる粘着樹脂層（Ｂ）と、熱可塑性樹脂（ｃ）を含有してなるヒートシール樹脂層（Ｃ）とが、（Ａ）／（Ｂ）／（Ｃ）の順に積層されている多層フィルムであって、ヒートシール樹脂層（Ｃ）と、このヒートシール樹脂層（Ｃ）とヒートシール可能な熱可塑性樹脂層とをヒートシール〔ヒートシール樹脂層（Ｃ）同志のヒートシールでもよい。〕し、次いで引き剥がした場合に、ヒートシール樹脂層（Ｃ）が破断すると共にヒートシール樹脂層（Ｃ）と粘着樹脂層（Ｂ）の層間が剥離して、粘着樹脂層（Ｂ）がヒートシール領域表面において再封止可能な粘着状態で露出する多層フィルムであればよく、製造方法等に特に限定はない。
【００１２】
前記本発明の多層フィルムの表面樹脂層（Ａ）は、熱可塑性樹脂（ａ）を主成分として含有してなる樹脂層あればよく、単層構成の樹脂層であっても、多層構成の樹脂層であってもよい。ここで用いる熱可塑性樹脂（ａ）としては、エチレン系樹脂、プロピレン系樹脂等のオレフィン系樹脂、スチレン系樹脂、エステル系樹脂、アミド系樹脂、イミド系樹脂、エチレン−酢酸ビニル共重合体のケン化物系樹脂等が挙げられ、単独もしくは２種以上の混合による単層構成、または、多層構成用として用いられる。
【００１３】
前記エチレン系樹脂としては、超低密度ポリエチレン（ＶＬＤＰＥ）、線状低密度ポリエチレン（ＬＬＤＰＥ）、低密度ポリエチレン（ＬＤＰＥ）、中密度ポリエチレン（ＭＤＰＥ）、高密度ポリエチレン（ＨＤＰＥ）等のエチレン系樹脂；エチレン−酢酸ビニル共重合体（ＥＶＡ）、エチレン−メチルメタアクリレート共重合体（ＥＭＭＡ）、エチレン−エチルアクリレート共重合体（ＥＥＡ）、エチレン−メチルアクリレート（ＥＭＡ）共重合体、エチレン−エチルアクリレート−無水マレイン酸共重合体（Ｅ−ＥＡ−ＭＡＨ）、エチレン−アクリル酸共重合体（ＥＡＡ）、エチレン−メタクリル酸共重合体（ＥＭＡＡ）等のエチレン系共重合体；更にはエチレン−アクリル酸共重合体の金属中和物、エチレン−メタクリル酸共重合体の金属中和物等が挙げられる。
【００１４】
また、プロピレン系樹脂としては、プロピレン単独重合体、プロピレンと他のα−オレフィン、例えばエチレン、ブテン等との共重合体が挙げられ、共重合体としてはランダム共重合体、ブロック共重合体のいずれもが使用できる。プロピレン単独重合体としては、アイソタクチックポリプロピレン、シンジオタクチックポリプロピレン、アタックチックポリプロピレンを挙げることができるが、この内ではアイソタクチックポリプロピレンが好ましい。
【００１５】
これら熱可塑性樹脂（ａ）としては、安価で成形加工性に優れることから、エチレン系樹脂、プロピレン系樹脂等が好ましく、なかでも線状低密度ポリエチレン（ＬＬＤＰＥ）、低密度ポリエチレン（ＬＤＰＥ）、プロピレン単独重合体、プロピレンと他のα−オレフィンとの共重合体が特に好ましい。
【００１６】
さらに、表面樹脂層（Ａ）には、必要に応じて、防曇剤、帯電防止剤、熱安定剤、造核剤、酸化防止剤、滑剤、アンチブロッキング剤、離型剤、紫外線吸収剤等の成分が、本発明の目的を損なわない範囲で添加されても良い。
【００１７】
粘着樹脂層（Ｂ）としては、スチレンブロックとジエンブロックとを含有するゴム質共重合体の水素添加物（ｂ１）と粘着付与剤（ｂ２）とを含有してなる粘着樹脂層であって、粘着性を有するものであればよい。ここで使用される該ゴム質共重合体の水素添加物（ｂ１）としては、スチレンブロックとジエンブロックとを含有するゴム質共重合体の水素添加物であればよく、例えば、スチレン−ブタジエンブロック共重合体（ＳＢ）の水素添加物、スチレン−ブタジエン−スチレンブロック共重合体（ＳＢＳ）の水素添加物、スチレン−エチレン−ブタジエン−スチレンブロック共重合体（ＳＥＢＳ）の水素添加物、スチレン−ブタジエン−ブチレン−スチレンブロック共重合体（ＳＢＢＳ）の水素添加物、スチレン−イソプレン−スチレンブロック共重合体（ＳＩＳ）の水素添加物、スチレン−イソプレンブロック共重合体（ＳＩ）の水素添加物等が挙げられる。これらのなかでも、スチレン−ブタジエンブロック共重合体（ＳＢ）の水素添加物（ＨＳＢ）、スチレン−ブタジエン−スチレンブロック共重合体（ＳＢＳ）の水素添加物〔スチレン−エチレン−ブチレン−スチレンブロック共重合体（ＳＥＢＳ）またはスチレン−ブタジエン−ブチレン−スチレンブロック共重合体（ＳＢＢＳ）〕、および、スチレン−イソプレン−スチレンブロック共重合体（ＳＩＳ）の水素添加物〔スチレン−エチレン−プロピレン−スチレンブロック共重合体（ＳＥＰＳ）〕からなる群から選ばれる１種以上のゴム質ブロック共重合体水素添加物が好ましい。これらゴム質共重合体の水素添加物の水素添加割合は、通常１０〜１００モル％であり、なかでも３０〜１００モル％であることが好ましい。また、メルトインデックス（ＭＩ、ＪＩＳ　Ｋ−７２１０に準拠して１９０℃で測定したもの。）は、流動乱れが起きにくいことから、２〜３０ｇ／１０分間であることが好ましい、
【００１８】
粘着付与剤（ｂ２）としては、天燃樹脂や合成樹脂からなる常温で粘着性を有する樹脂が挙げられ、例えば、天然樹脂ロジン、重合ロジン、水素添加ロジン、グリセルネステルロジン、ペンタエリスリトール等のロジン系樹脂；テルペン、芳香族変性テルペン、テルペンフェノール、水素添加テルペン等のテルペン系樹脂；脂肪族系石油樹脂、芳香族系石油樹脂、水添脂環式系石油樹脂等の石油樹脂；常温で液状のポリブタジエン、常温で液状のポリイソプレン、常温で液状のポリイソブチレンなどが挙げられ、なかでも、ロジン系樹脂、テルペン系樹脂、石油樹脂が好ましい。
【００１９】
スチレンブロックとジエンブロックとを含有するゴム質共重合体の水素添加物（ｂ１）と粘着付与剤（ｂ２）の配合比率は、粘着効果と押出成形加工性のバランスが良好なことから、該ゴム質共重合体の水素添加物（ｂ１）と粘着付与剤（ｂ２）の重量比（ｂ１／ｂ２）が５０／５０〜９８／２となる範囲が好ましく、なかでも６０／４０〜９０／１０となる範囲が特に好ましい。
【００２０】
前記粘着樹脂層（Ｂ）には、必要に応じて、種々の添加剤、例えば軟化剤、オイル（鉱物油）、安定剤（酸化防止剤等）、流動パラフィン等を添加してもよい。
【００２１】
本発明の多層フィルムは、ヒートシール樹脂層（Ｃ）と、このヒートシル樹脂層（Ｃ）とヒートシール可能な熱可塑性樹脂層とをヒートシールし、次いで引き剥がした場合に、ヒートシール樹脂層（Ｃ）が破断すると共にヒートシール樹脂層（Ｃ）と粘着樹脂層（Ｂ）の層間が剥離するものであることから、表面樹脂層（Ａ）と粘着樹脂層（Ｂ）の組み合わせは、これらの層間接着強度が、粘着樹脂層（Ｂ）とヒートシール樹脂層（Ｃ）の層間接着強度（好ましくは２〜２０Ｎ／１５ｍｍである。）よりも大きい接着良好な組み合わせとすることが好ましい。
【００２２】
このような条件を満たす表面樹脂層（Ａ）と粘着樹脂層（Ｂ）の組み合わせとしては、例えば、粘着樹脂層（Ｂ）として、スチレンブロックとジエンブロックとを含有するゴム質共重合体の水素添加物（ｂ１）と、ロジン系樹脂、テルペン系樹脂および石油樹脂からなる群から選ばれる１種以上の樹脂からなる粘着付与剤とからなる樹脂層を用いた場合、この粘着樹脂層に、該粘着樹脂層との接着性が良好なオレフィン系樹脂（ａ１）から構成された単層構成の樹脂層を表面樹脂層（Ａ）として用いた組み合わせや、該粘着樹脂層との接着性に比較的劣る樹脂（ａ２）から構成された層（表面側の樹脂層）と、オレフィン系接着性樹脂等から構成された接着層〔粘着樹脂層（Ｂ）と接する側の樹脂層〕とからなる多層構成の樹脂層を表面樹脂層（Ａ）として用いた組み合わせなどが挙げられる。
【００２３】
前記オレフィン系樹脂（ａ１）としては、安価で成形加工性に優れることから、エチレン系樹脂、プロピレン系樹脂等が好ましく、なかでも線状低密度ポリエチレン（ＬＬＤＰＥ）、低密度ポリエチレン（ＬＤＰＥ）、プロピレン単独重合体、プロピレンと他のα−オレフィンとの共重合体が特に好ましい。また、粘着樹脂層との接着性に比較的劣る樹脂（ａ２）としては、例えば、スチレン系樹脂、エステル系樹脂、アミド系樹脂、イミド系樹脂、エチレン−酢酸ビニル共重合体のケン化物系樹脂等が挙げられる。
【００２４】
ヒートシール樹脂層（Ｃ）としては、熱可塑性樹脂（ｃ）を主成分として含有してなるシートシール可能な樹脂層であればよいが、粘着樹脂層（Ｂ）との層間接着強度が、表面樹脂層（Ａ）と粘着樹脂層（Ｂ）の層間接着強度よりも小さく、多層フィルムとしての機能が維持できる程度の層間接着強度、例えば２〜２０Ｎ／ｍｍとなる樹脂層であることが好ましい。
【００２５】
ここで用いる前記熱可塑性樹脂（ｃ）としては、本発明の多層フィルムを蓋材や容器として用いる場合の被着体である容器や蓋材のシール面の材質を考慮して適切なヒートシール強度となるように任意に選択することが可能であり、例えば、エチレン系樹脂、プロピレン系樹脂等のオレフィン系樹脂、スチレン系樹脂、スチレン系樹脂またはスチレン系樹脂との接着性を有するエチレン系樹脂、エステル系樹脂との接着性を有するエチレン系樹脂等が挙げられる。
【００２６】
前記エチレン系樹脂としては、熱可塑性樹脂（ａ）として前記したエチレン系樹脂と同様のものや、スチレン系、エステル系樹脂との接着性を有するエチレン系樹脂が使用できる。また、前記プロピレン系樹脂としては、プロピレンと他のα−オレフィンとの共重合体、例えばプロピレン−エチレン共重合体、プロピレン−ブテン共重合体等が挙げられる。
【００２７】
また、スチレン系またはエステル系樹脂との接着性を有するエチレン系樹脂としては、エチレン−酢酸ビニル共重合体（ＥＶＡ）；エチレン−酢酸ビニル共重合体（ＥＶＡ）にロジン、水添ロジン、ロジンエステル誘導体、重合ロジン、テルペン、変性テルペン樹脂、脂肪族系石油樹脂等を混合して変性するか、又は、無水マレイン酸等を反応させて変性した変性ＥＶＡ；線状低密度ポリエチレン（ＬＬＤＰＥ）または低密度ポリエチレン（ＬＤＰＥ）にロジン、水添ロジン、ロジンエステル誘導体、重合ロジン、テルペン、変性テルペン樹脂、脂肪族系石油樹脂等を混合して変性するか、又は、無水マレイン酸等を反応させて変性した変性低密度ポリエチレンが好ましく、なかでも変性ＥＶＡが特に好ましい。
【００２８】
例えば、本発明の多層フィルムを、そのまま、または、他のフィルムやシートと積層して、蓋材や容器として用い、かつ、その被着体である容器や蓋材のシール面の材質がポリスチレンベースのレジンで構成されている場合、本発明の多層フィルムのヒートシール樹脂層（Ｃ）に用いる熱可塑性樹脂（ｃ）としては、安価で、成形加工性、シール適性等に優れることから、スチレン系樹脂またはスチレン系樹脂との接着性を有するエチレン系樹脂が好ましい。ここで熱可塑性樹脂（ｃ）として用いるスチレン系樹脂としては、例えば、ポリスチレンの他、スチレンモノマーに対して少量のゴム分や他のビニル系単量体が共重合されているスチレン系共重合体等が挙げられる。他のビニル系単量体としては、例えば、α−メチルスチレン、ｐ−メチルスチレン等のスチレン系モノマーや、アクリルニトリル、アクリル酸メチル、メタクリル酸メチル、アクリル酸、メタクリル酸、無水マレイン酸等が挙げられる。また、ゴム分の使用割合は、通常０．１〜２０重量％、他のビニル系単量体の使用割合は０．１〜３０重量％である。熱可塑性樹脂（ｃ）として用いるスチレン系樹脂として好ましいものとしては、ポリスチレンや、ジエン系ゴムとスチレンの共重合体であるハイインパクトポリスチレン（ＨＩＰＳ）が挙げられる。
【００２９】
また、被着体である容器や蓋材のシール面の材質がポリプロピレンベースのレジンで構成されている場合、本発明の多層フィルムのヒートシール樹脂層（Ｃ）に用いる熱可塑性樹脂（ｃ）としては、安価で、成形加工性、シール適性等に優れることから、プロピレンと他のα−オレフィンとの共重合体、例えばプロピレン−エチレン共重合体、プロピレン−ブテン共重合体等が好ましく、特にプロピレン−エチレン共重合体、例えばエチレン由来成分含有率２〜１０重量％のプロピレン−エチレン共重合体が好ましい。これら共重合体としては、ランダム共重合体、ブロック共重合体のいずれもが使用できるが、ランダム共重合体が好ましい。
【００３０】
なお、熱可塑性樹脂（ｃ）として、エチレン系樹脂、プロピレン系樹脂等のオレフィン系樹脂や、スチレン系樹脂を使用する場合、容器と蓋材の密着性、シール強度の安定性等に優れることから、ＪＩＳ　Ｋ−７２１０に準拠して、エチレン系樹脂では１９０℃、プロピレン系樹脂系では２１０℃、スチレン系樹脂では２００℃で測定したＭＩ（メルトインデックス）が２〜８０ｇ／１０分間であるものが好ましい。
【００３１】
前記ヒートシール樹脂層（Ｃ）としては、成膜時の加工適性、充填機の包装適性を考慮すると、ヒートシール樹脂層（Ｃ）の摩擦係数が０．７以下、なかでも０．５以下であることが望ましい。このため、ヒートシール樹脂層（Ｃ）には、滑剤やアンチブロッキング剤を適宜添加することが好ましいが、滑剤、アンチブロッキング剤等の添加剤のヒートシール樹脂層（Ｃ）への添加の影響で再封強度の低下等が発生しやすくなるため、注意を要する。
【００３２】
また、前記ヒートシール樹脂層（Ｃ）の表面には、粘着樹脂層（Ｂ）中の粘着付与剤（ｂ２）から低分子量成分等が経時的にブリート（析出）してくる場合があり、滑り性の悪化やフィルムのブロッキングの問題が生じる易くなる。その解決策として、ヒートシール樹脂層（Ｃ）に充填剤を添加することが有効である。充填剤としては、炭酸カルシュウムやタルク等の無機材料が価格面と表面に大きな凹凸が発現された状態になり、良好な摩擦係数を維持できるので望ましい。
【００３３】
さらに、ヒートシール樹脂層（Ｃ）には、必要に応じて、防曇剤、帯電防止剤、熱安定剤、造核剤、酸化防止剤、離型剤、紫外線吸収剤等を、本発明の目的を損なわない範囲で添加しても良い。
【００３４】
前記本発明の多層フィルムを製造する方法としては、特に限定されないが、例えば、▲１▼熱可塑性樹脂（ａ）を含有してなる表面樹脂層（Ａ）用フィルム上に、スチレンブロックとジエンブロックとを含有するゴム質ブロック共重合体の水素添加物（ｂ１）と粘着付与剤（ｂ２）とを含有してなる粘着樹脂層（Ｂ）と、熱可塑性樹脂（ｃ）を含有してなるヒートシール樹脂層（Ｃ）とを同時に加熱溶融押出することにより（Ａ）／（Ｂ）／（Ｃ）の順で積層する方法（加熱溶融押出コーティング法）や、▲２▼熱可塑性樹脂（ａ）を含有してなる表面樹脂層（Ａ）用樹脂と、スチレンブロックとジエンブロックとを含有するゴム質ブロック共重合体の水素添加物（ｂ１）と粘着付与剤（ｂ２）とを含有してなる粘着樹脂層（Ｂ）用樹脂と、熱可塑性樹脂（ｃ）を含有してなるヒートシール樹脂層（Ｃ）用樹脂とを、それぞれ別の押出機で加熱溶融させ、（Ａ）／（Ｂ）／（Ｃ）の順でフィルム状に共押出積層成形する本発明の製造方法（共押出法）等が挙げられ、
なかでも、比較的自由に層間接着強度を調製することが可能で、衛生性に優れ、コストパフォーマンスも良好な多層フィルムが得られることから、前記▲２▼の共押出法が好ましい。
【００３５】
本発明では、前記本発明の多層フィルムと共に、前記▲２▼の共押出法を採用した多層フィルムの製造方法を提供している。即ち、本発明が提供する多層フィルムの製造方法は、前記▲２▼の多層フィルムの製造方法であって、粘着樹脂層（Ｂ）とヒートシール樹脂層（Ｃ）の層間接着強度が２〜２０Ｎ／１５ｍｍで、かつ、表面樹脂層（Ａ）と粘着樹脂層（Ｂ）の層間接着強度よりも小さくなる組み合わせで、表面樹脂層（Ａ）用樹脂と粘着樹脂層（Ｂ）用樹脂とヒートシール樹脂層（Ｃ）用樹脂とを用いる、多層フィルムの製造方法である。
【００３６】
従って、前記本発明の製造方法で得られる多層フィルムとしては、表面樹脂層（Ａ）用樹脂と粘着樹脂層（Ｂ）用樹脂とヒートシール樹脂層（Ｃ）用樹脂とを、粘着樹脂層（Ｂ）とヒートシール樹脂層（Ｃ）の層間接着強度が２〜２０Ｎ／１５ｍｍで、かつ、表面樹脂層（Ａ）と粘着樹脂層（Ｂ）の層間接着強度よりも小さくなる組み合わせで用いて得られる共押出多層フィルムが挙げられる。
【００３７】
前記本発明の製造方法で得られる共押出多層フィルムの各層の組み合わせとしては、前記本発明の多層フィルムと同様であるが、好ましいものとしては、例えば、熱可塑性樹脂（ａ）としてエチレン系樹脂またはプロピレン系樹脂を用いた表面樹脂層（Ａ）と、スチレンブロックとジエンブロックとを含有するゴム質共重合体の水素添加物（ｂ１）としてスチレンブロックとジエンブロックとを含有するゴム質共重合体の水素添加物（ｂ１）としてスチレン−ブタジエンブロック共重合体（ＳＢ）の水素添加物、スチレン−ブタジエン−スチレンブロック共重合体（ＳＢＳ）の水素添加物、および、スチレン−イソプレン−スチレンブロック共重合体（ＳＩＳ）の水素添加物からなる群から選ばれる１種以上のゴム質ブロック共重合体水素添加物を用いた粘着樹脂層（Ｂ）と、熱可塑性樹脂（ｃ）としてエチレン系樹脂、プロピレン系樹脂、スチレン系樹脂、または、スチレン系樹脂あるいはエステル系樹脂との接着性を有するエチレン系樹脂を用いたヒートシール樹脂層（Ｃ）の組み合わせが挙げられる。これらのなかでも、粘着樹脂層（Ｂ）中の粘着付与剤（ｂ２）として、ロジン系樹脂、テルペン系樹脂および石油樹脂からなる群から選ばれる１種以上の樹脂を用いたものが好ましい。
【００３８】
さらに、これら共押出多層フィルムのなかでも、粘着樹脂層（Ｂ）との層間接着強度が２〜２０Ｎ／１５ｍｍに制御しやすく、成形加工性能、低温シール性等のヒートシール適性に優れ、ヒートシール部分を引き剥がした場合に、容易に層間剥離し、粘着樹脂層（Ｂ）とヒートシール樹脂層’Ｃ）の層間剥離面の荒れが少なく、開封と再封を繰り返した場合の再封強度が高いことから、熱可塑性樹脂（ｃ）としてエチレン−（メタ）アクリル酸共重合体および／またはその金属中和物を用いたヒートシール樹脂層（Ｃ）を有するものが好ましい。
【００３９】
前記本発明の多層フィルムの製造方法としては、例えば、３台以上の押出機を用いて、それぞれ加熱溶融し、共押出多層ダイス法やフィードブロック法等の公知の方法で溶融状態で積層した後、インフレーションやＴダイ・チルロール法等により多層フィルムとする共押出積層成形方法等が挙げられる。また、印刷の接着性、ラミネート適性を向上させるために、表面樹脂層（Ａ）に表面処理を施すことが望ましい。
【００４０】
表面処理としてはコロナ放電処理、クロム酸処理、火炎処理、熱風処理、オゾン・紫外線処理等の表面酸化処理、あるいはサンドブラスト等の表面凹凸処理を挙げることができるが、好ましいにはコロナ処理である。
【００４１】
前記のような共押出法による本発明の多層フィルムの製造方法では、粘着樹脂層（Ｂ）が熱安定性に優れるスチレンブロックとジエンブロックとを含有するゴム質共重合体の水素添加物（ｂ１）を含有しているため、熱安定性性に優れる。また、この製造方法では、粘着樹脂層（Ｂ）が表面樹脂層（Ａ）とヒートシール樹脂層（Ｃ）とに挟まれているため、通常２００℃を越える高温に加熱されているフィードブロックやダイス等からの直接の熱履歴を受けにくく、粘着樹脂層（Ｂ）にゲル、フィッシュアイ、流動乱れ等が発生しにくいという利点がある。
【００４２】
なお、前記本発明の多層フィルムや本発明の製造方法で得られる多層フィルムのように再封性を有する包装材料は、開封された後、再封されて陳列販売される危険を防止できることから、開封時の痕跡が容易に判別できるものであることが好ましい。開封時の痕跡が残るようにする方法としては、ヒートシール樹脂層（Ｃ）に充填剤を添加することが有効である。
【００４３】
また、前記本発明の多層フィルムや本発明の製造方法で得られる多層フィルムにおいて、各樹脂層の層間接着強度は、樹脂層間の接着性に大きく依存しており、目標とする層間接着強度するためには各樹脂層の組み合わせを適宜選択することが重要であるが、この際には樹脂層の厚さによっても層間接着強度が変化することも考慮する必要がある。粘着樹脂層（Ｂ）とヒートシール樹脂層（Ｃ）とを接着性に比較的優れる組み合わせで用いたとしても、例えば、エチレン−（メタ）アクリル酸共重合体の金属中和物からなるヒートシール樹脂層の場合、その厚さが０．３〜１μｍと小さいと粘着樹脂層（Ｂ）との層間接着強度は大きく低下するし、逆に２０〜３０μｍと大きいと層間接着強度は低下することなく大きな値となる。
【００４４】
本発明の多層フィルムや本発明の製造方法で得られる多層フィルムの厚さは、通常シートと言われる厚さまで含み、２０〜５００μｍの範囲であるが、なかでも、２０〜２００μｍの範囲であることが好ましい。例えば、厚さが５０〜２００μｍのものはそのままで、厚さが２０〜１００μｍのものは延伸基材フィルム等にラミネートして、それぞれ、各種容器等の蓋材として好適に使用でき、また、厚さが２０〜１００μｍのものは基材シート等にラミネートした後、成形して、各種容器等として好適に使用できる。さらに、厚さが２０〜２００μｍのものはそのままで、または、延伸基材フィルム等にラミネートしてから、ヒートシール樹脂層（Ｃ）を内側にして加熱溶融接着して製袋することにより袋として好適に使用できるし、厚さが２００μｍを越えるものは、そのままで成形して各種容器等として使用できる。これらの中では、厚さが２０〜２００μｍのものをそのままでヒートシール樹脂層（Ｃ）を内側にして加熱溶融接着して製袋して袋として使用すること、および、厚さが５０〜２００μｍのものをそのままで、あるいは、厚さが２０〜１００μｍのものを延伸基材フィルム等にラミネートして、それぞれ各種容器等の蓋材として使用することが特に好ましい。
【００４５】
本発明の多層フィルムや本発明の製造方法で得られる多層フィルムは、粘着樹脂層（Ｂ）とヒートシール樹脂層（Ｃ）の層間接着強度が、２〜２０Ｎ／１５ｍｍであることが好ましく、なかでも４〜１５Ｎ／１５ｍｍであることが特に好ましい。また、これらのヒートシール樹脂層（Ｃ）の厚さとしては、０．６〜１０μｍであることが好ましく、１〜１０μｍであることがより好ましく、１〜６μｍであることが最も好ましい。
【００４６】
本発明の多層フィルムや本発明の製造方法で得られる多層フィルムは、表面樹脂層（Ａ）上に、接着性樹脂や接着剤を介して基材を積層し、ラミネートフィルムやラミネートシートとすることができる。基材としては、例えば、２軸延伸ポリプロピレン（ＯＰＰ）フィルム、２軸延伸ナイロン（ＯＮＹ）フィルム、２軸延伸ポリエチレンテレフタレート（ＰＥＴ）フィルム、アルミニュウム（ＡＬ）箔、紙、不織布等が挙げられるが、これらに限定されるものではない。接着方法としては、ウエットラミネーション、ノンソルベントラミション、ドライラミネーション、押出ラミネーション等が挙げられる。
【００４７】
ドライラミネーションの接着剤としては、例えば、ポリエステル−ポリウレタン系接着剤、ポリエーテル−ポリウレタン系接着剤等が挙げられる。
【００４８】
従来、ラーメンカップのような即席食品用容器の蓋材には、紙／アルミ／ホットメルトのような構成のフィルムが使用されているが、このような構成としているのは、開封が容易な易開封機能を有することと、アルミの持つ塑性変形特性を利用して、熱湯を注ぐときには蓋をめくり上げた状態を保ち、調理時間中は蓋の持ち手部分を折り曲げる等により蓋をした状態を保持するためである。しかし、薄いアルミを使用した時やアルミを抜いた構成のフィルムの場合は、前記の塑性変形性が維持できず、元の状態に戻らないケースもあり、調理時間中、重しを乗せて蓋を閉じたりしている。さらに、近年の環境負荷低減および分別回収が困難である上、Ｘ線等で中身を調べ異物混入を防止する、欠点検出機が使用できないため等の理由からアルミの使用を抑制したい要望が強くある。しかし、アルミと同等な塑性変形性能を有する材料はなく、調理中は再封状態を容易に保てる素材はなかなかの見あたらないのが現状であった。さらに加工工程を減少させる目的で、上記の要求を満たす多層フィルムが要望されていた。
【００４９】
本発明の多層フィルムや本発明の製造方法で得られる多層フィルムを、ラーメンカップのような即席食品用蓋材に使用すると、開封は容易な易開封機能を有すると同時に、調理時間中は開封前の蓋をした状態を保持することが可能となり、アルミの塑性変形性能を代替できる素材になる。また、本発明の多層フィルムや本発明の製造方法で得られる多層フィルムを利用すれば、かねてから要望の強かった脱アルミ構成フィルムも可能となり、加工工程も減少でき環境負荷の低減にも貢献できる。なお、本発明の多層フィルムや本発明の製造方法で得られる多層フィルムを蓋材に使用する場合は、基材フィルムと積層してラミネートフィルムやラミートシートとしてから使用することもできる。
【００５０】
本発明の多層フィルムや本発明の製造方法で得られる多層フィルム、および、これらのフィルムとラミネート基材を積層したラミネートフィルムやラミネートシートは、ヒートシール樹脂層（Ｃ）を加熱溶融させることにより、気密性や実用強度を有するヒートシールとすることができる上に、開封後の剥離面は粘着樹脂層が再封止可能な状態で表面に露出し、手による感圧接着のみで再封止（リシール）が可能であるため、前記したように、各種容器や、その蓋材、あるいは、袋として好適に使用できる。
【００５１】
本発明の多層フィルムや本発明の製造方法で得られる多層フィルムからなる蓋材を用いる容器としては、例えば、スチレン系樹脂、発泡スチレン系樹脂、プロピレン系樹脂、エステル系樹脂等を射出成形、真空成形、圧空成形等の成形方法により製造されたカップやトレー、更には、紙にポリエチレンなどのオレフィン系樹脂を積層させて成形した紙カップや紙トレーなどが挙げられる。これらの容器は、蓋材とのヒートシール部分、例えば、鍔状のヒートシール部分を有しており、この部分の樹脂の種類に応じて、蓋材のヒートシール樹脂の種類を選択し、シール強度を調整することができる。
【００５２】
また、本発明の多層フィルムや本発明の製造方法で得られる多層フィルムを使用するのに好ましいものとしては、特にインスタントラーメン容器または蓋、スナック菓子、チョコレート菓子等の容器、蓋または袋、スライスハム等の畜肉加工品容器または蓋、ウェットティシュ、汗取り紙、芳香剤、使い捨ておしめ等のように数個単位で包装されていたり、その都度開封して使用する化粧品や生理用品の容器、蓋または袋、シップ薬、救急絆創膏、のど飴等の医薬品の容器、蓋または袋などが挙げられる。さらに、好ましいものとしては、深絞り成形した容器に、インラインで、畜肉、水産練り製品等の食品を充填した後、ヒートシールするか、あるいは、ガス置換した後密封ヒートシールする等の食品包装容器の蓋などが挙げられる。
【００５３】
【実施例】
次に、実施例および比較例を挙げて本発明をより詳しく説明する。
実施例１
表面樹脂層（Ａ）用としてエチレン由来成分含有率３重量％、密度０．９０ｇ／ｃｍ３のプロピレン−エチレン共重合体（ＣＯＰＰ）を用い、粘着樹脂層（Ｂ）用としてスチレン−ブタジエン−スチレンブロック共重合体（ＳＢＳ）の水素添加物〔スチレン−エチレン−ブチレン−スチレンブロック共重合体（ＳＥＢＳ）〕６０重量部と、テルペン樹脂〔ヤスハラケミカル（株）製テルペン樹脂、ＹＳレジンＰＸ１１５０〕３８．５重量部と、フェノール系酸化防止剤０．５重量部と流動パラフィン１重量部を二軸押出機で均一に混合しペレット化した樹脂を用い、ヒートシール樹脂層（Ｃ）用として密度０．９４ｇ／ｃｍ３のエチレン−メタアクリル酸共重合体の亜鉛中和物（アイオノマー樹脂）を用い、（Ａ）層用押出機（口径５０ｍｍ）、（Ｂ）層用押出機（口径５０ｍｍ）、（Ｃ）層用押出機（口径４０ｍｍ）およびフィードブロックを有するＴダイ・チルロール法の共押出多層フィルム製造装置の各押出機にそれぞれ供給して、押出機温度２００〜２３０℃、フィードブロックとＴダイの温度２７０℃の条件で共溶融押出を行い、Ａ／Ｂ／Ｃの３層構成で、各層の平均厚さが３５μｍ／１０μｍ／５μｍで、全体厚さが５０μｍの共押出多層フィルム（１）を得た。得られた共押出多層フィルム（１）の表面樹脂層（Ａ）と粘着樹脂層（Ｂ）の層間接着強度は２５Ｎ／１５ｍｍで、粘着樹脂層（Ｂ）とヒートシール樹脂（Ｃ）の層間接着強度は１０Ｎ／１５ｍｍであった。
【００５４】
また、前記共押出多層フィルム（１）の連続成膜を行い、熱安定性、加工安定性、および、臭気の有無について、以下のように評価した。
▲１▼熱安定性の評価：総吐出４０ｋｇ／時間で連続成膜し、２時間連続製膜後、４時間連続製膜後の共押出多層フィルム（１）の０．１ｍ２当たりの直径０．２ｍｍ以上の異物、カーボンゲルの目視でのカウント数で評価した。
▲２▼加工安定性の評価：総吐出４０ｋｇ／時間で連続成膜し、４時間連続製膜後の共押出多層フィルム（１）の層間の流動乱れによる外観不良の有無で評価した。
▲３▼臭気の有無の評価：総吐出４０ｋｇ／時間で連続成膜し、製膜開始後、２時間連続製膜後、４時間連続製膜後の共押出多層フィルム（１）を１０ｃｍ×１０ｃｍの大きさで１０枚切り出し、５００ｍｌのサンプル瓶に入れて密栓し、８０℃で３０分間加熱した後、後記する比較例１で得られた共押出多層フィルム（１′）を用いて同様にしたサンプルと比較し、どちらが臭いが強いかを、１０名のパネラーによる２点評価法を用いた官能試験で評価した。
これらの結果を第１表と第２表に示す。
【００５５】
次いで、得られた共押出多層フィルム（１）の表面樹脂層（Ａ）側に２軸延伸ポリエチレンテレフタレート基材（厚さ１２μｍ）をドライラミネーションで貼り合わせて、ラミネートフィルム（Ｉ）を得た。この際、ドライラミネーション用接着剤としては、大日本インキ化学工業（株）製２液硬化型接着剤（ポリエステル系接着剤ＬＸ６３Ｆおよび硬化剤ＫＰ９０）を使用した。
【００５６】
得られたラミネートフィルム（Ｉ）を蓋材として、第３表に示す材質からなる外形７０ｍｍ、幅５ｍｍの鍔を有する丸カップ容器の鍔の部分に、第３表に示すヒートシール条件でヒートシールした後、シール強度を測定した。また、開封した際の開封感を評価し、開封した部分の膜残り状況も目視により評価した。更に、開封後に指で再度蓋材と容器を圧着した後、再度開封した際のシール強度（リシール強度）と、開封と再シールを５回繰り返した後のシール強度（繰り返しリシール強度）を測定した。この結果を第４表に示す。
【００５７】
なお、開封感は、実際に容器から蓋剤を剥離し、剥離に要する力が一定で円滑な剥離が容易なものを○、剥離に要する力が一定せず、剥離に円滑さを欠く場合を×として、また、膜のこり状況は、剥離後の鍔部と蓋材のシール面のフィルム残り、ケバ立ち状態を目視観察し、フィルム残り、ケバ立ちがないものを○、フィルム残り、ケバ立ちが若干あるものを○′、フィルム残り、ケバ立ちが目立つものを×として、それぞれ評価した。
【００５８】
さらに、得られたラミネートフィルム（Ｉ）のヒートシール樹脂層（Ｃ）同士を重ね合わせてヒートシール（温度１６０℃、圧力２ｋｇ／ｃｍ２、時間１秒間、シール幅１０ｍｍ）して、袋を作成した。
【００５９】
作成したの袋の開口部をヒートシールして密閉した後、シール強度を測定した。また、開封した際の開封感を評価し、更に、開封後に指で再度蓋材と容器を圧着した後、再度開封した際のシール強度（リシール強度）と、開封と再シールを５回繰り返した後のシール強度（繰り返しリシール強度）を測定した。この結果を第５表に示す。なお、開封感は、実際に容器から蓋剤を剥離し、剥離に要する力が一定で円滑な剥離が容易なものを○、剥離に要する力が一定せず、剥離に円滑さを欠く場合を×として評価した。この結果を第５表に示す。
【００６０】
実施例２
表面樹脂層（Ａ）用として密度０．９３ｇ／ｃｍ３の中密度ポリエチレン樹脂を用い、粘着樹脂層（Ｂ）用としてブタジエンブロック共重合体（ＳＢ）の水素添加物（ＨＳＢ）３０重量部と、スチレン−ブタジエン−スチレンブロック共重合体（ＳＢＳ）の水素添加物〔スチレン−エチレン−ブチレン−スチレンブロック共重合体（ＳＥＢＳ）〕３０重量部と、石油樹脂〔荒川化学（株）製水添石油樹脂、アルコンＰ−１２５〕３９．５重量部と、フェノール系酸化防止剤０．５重量部を二軸押出機で均一に混合しペレット化した樹脂を用い、ヒートシール樹脂層（Ｃ）用として密度０．９４ｇ／ｃｍ３でメタクリル酸由来成分含有率１０重量％のエチレン−メタアクリル酸共重合体（ＥＭＡＡ）樹脂を用い、これらをそれぞれ使用した以外は実施例１と同様にして、Ａ／Ｂ／Ｃの３層構成で、各層の平均厚さが３５μｍ／１０μｍ／５μｍで、全体厚さが５０μｍで、共押出多層フィルム（２）を得た。得られた共押出多層フィルム（２）の表面樹脂層（Ａ）と粘着樹脂層（Ｂ）の層間接着強度は２０Ｎ／１５ｍｍで、粘着樹脂層（Ｂ）とヒートシール樹脂（Ｃ）の層間接着強度は１５Ｎ／１５ｍｍであった。
【００６１】
また、前記共押出多層フィルム（２）の連続成膜を行い、実施例１と同様にして、熱安定性、加工安定性、および、臭気の有無について評価した。
これらの結果を第１表と第２表に示す。
【００６２】
次いで、得られた共押出多層フィルム（２）の表面樹脂層（Ａ）上に、ラミネート用低密度ポリエチレン（ＬＤＰＥ）（ＭＩ＝１０ｇ／ｍｉｎ）の３３０℃での溶融押出による押出ラミネーションを行って、紙基材（坪量８０ｇ／ｃｍ２　）と貼り合わせて、ラミネート紙（ＩＩ）を得た。
【００６３】
得られたラミネートフィルム（ＩＩ）を蓋材として、第３表に示す材質からなる外形７０ｍｍ、幅５ｍｍの鍔を有する丸カップ容器の鍔表面のポリエチレンの部分に、第３表に示すヒートシール条件でヒートシールした後、実施例１と同様にして、シール強度と、開封感と、膜残り状況と、リシール強度と、繰り返しリシール強度の評価や測定を行った。この結果を第４表に示す。
【００６４】
さらに、得られたラミネートフィルム（ＩＩ）のヒートシール樹脂層（Ｃ）同士を重ね合わせてヒートシール（温度１６０℃、圧力２ｋｇ／ｃｍ２、時間１秒間、シール幅１０ｍｍ）して、袋を作成した。
【００６５】
作成したの袋の開口部をヒートシールして密閉した後、実施例１と同様にして、シール強度と、開封感と、リシール強度と、繰り返しリシール強度の評価や測定を行った。この結果を第５表に示す。
【００６６】
実施例３
表面樹脂層（Ａ）用として密度０．９２ｇ／ｃｍ３の中密度ポリエチレン樹脂を用い、粘着樹脂層（Ｂ）用としてスチレン−ブタジエンブロック共重合体（ＳＢ）の水素添加物（ＨＳＢ）６０重量部と、テルペン樹脂〔ヤスハラケミカル（株）製テルペン樹脂、ＹＳレジンＰＸ１１５０〕３８．５重量部と、フェノール系酸化防止剤０．５重量部を二軸押出機で均一に混合しペレット化した樹脂を用い、ヒートシール樹脂層（Ｃ）用としてハイインパクトポリスチレン〔大日本インキ化学工業（株）製：ＣＲ８３００〕を用い、これらをそれぞれ使用した以外は実施例１と同様にして、Ａ／Ｂ／Ｃの３層構成で、各層の平均厚さが３７μｍ／１０μｍ／３μｍで、全体厚さが５０μｍの共押出多層フィルム（３）を得た。得られた共押出多層フィルム（３）の表面樹脂層（Ａ）と粘着樹脂層（Ｂ）の層間接着強度は２５Ｎ／１５ｍｍで、粘着樹脂層（Ｂ）とヒートシール樹脂（Ｃ）の層間接着強度は１０Ｎ／１５ｍｍであった。
【００６７】
また、前記共押出多層フィルム（３）の連続成膜を行い、実施例１と同様にして、熱安定性、加工安定性、および、臭気の有無について評価した。
これらの結果を第１表と第２表に示す。
【００６８】
次いで、得られた共押出多層フィルム（３）の表面樹脂層（Ａ）上に、ラミネート用低密度ポリエチレン（ＬＤＰＥ）（ＭＩ＝１０ｇ／ｍｉｎ）の３３０℃での溶融押出による押出ラミネーションを行って、紙基材（坪量８０ｇ／ｃｍ２）を貼り合わせて、ラミネート紙（ＩＩＩ）を得た。
【００６９】
得られたラミネート紙（ＩＩＩ）を蓋材として、第３表に示す材質からなる外形７０ｍｍ、幅５ｍｍの鍔を有する丸カップ容器の鍔の部分に、第３表に示すヒートシール条件でヒートシールした後、実施例１と同様にして、シール強度と、開封感と、膜残り状況と、リシール強度と、繰り返しリシール強度の評価や測定を行った。この結果を第４表に示す。
【００７０】
実施例４
表面樹脂層（Ａ）用として密度０．９３ｇ／ｃｍ３の中密度ポリエチレン樹脂を用い、粘着樹脂層（Ｂ）用としてスチレン−ブタジエンブロック共重合体（ＳＢ）の水素添加物（ＨＳＢ）３０重量部と、スチレン−イソプレン−スチレンブロック共重合体（ＳＩＳ）の水素添加物〔スチレン−エチレン−プロピレン−スチレンブロック共重合体（ＳＥＰＳ）〕３０重量部と、テルペン樹脂〔ヤスハラケミカル（株）製テルペン樹脂、ＹＳレジンＰＸ１１５０〕３８．５重量部と、フェノール系酸化防止剤０．５重量部を二軸押出機で均一に混合しペレット化した樹脂を用い、ヒートシール樹脂層（Ｃ）用としてＰＥＴ樹脂〔イーストマンケミカル社製ＰＥＴＧ６７６３〕密度１．２７ｇ／ｃｍ３を用い、これらをそれぞれ使用した以外は実施例１と同様にして、Ａ／Ｂ／Ｃの３層構成で、各層の平均厚さが３５μｍ／１０μｍ／５μｍで、全体厚さが５０μｍの共押出多層フィルム（４）を得た。得られた共押出多層フィルム（４）の表面樹脂層（Ａ）と粘着樹脂層（Ｂ）の層間接着強度は２５Ｎ／１５ｍｍで、粘着樹脂層（Ｂ）とヒートシール樹脂（Ｃ）の層間接着強度は８Ｎ／１５ｍｍであった。
【００７１】
また、前記共押出多層フィルム（４）の連続成膜を行い、実施例１と同様にして、熱安定性、加工安定性、および、臭気の有無について評価した。
これらの結果を第１表と第２表に示す。
【００７２】
次いで、得られた共押出多層フィルム（１）の表面樹脂層（Ａ）側に２軸延伸ポリエチレンテレフタレート基材（厚さ１２μｍ）をドライラミネーションで貼り合わせて、ラミネートフィルム（ＩＶ）を得た。この際、ドライラミネーション用接着剤としては、大日本インキ化学工業（株）製２液硬化型接着剤（ポリエステル系接着剤ＬＸ６３Ｆおよび硬化剤ＫＰ９０）を使用した。
【００７３】
得られたラミネートフィルム（ＩＶ）を蓋材として、第３表に示す材質からなる外形７０ｍｍ、幅５ｍｍの鍔を有する丸カップ容器の鍔の部分に、第３表に示すヒートシール条件でヒートシールした後、実施例１と同様にして、シール強度と、開封感と、膜残り状況と、リシール強度と、繰り返しリシール強度の評価や測定を行った。この結果を第４表に示す。
【００７４】
さらに、得られたラミネートフィルム（ＩＶ）のヒートシール樹脂層（Ｃ）同士を重ね合わせてヒートシール（温度１７０℃、圧力２ｋｇ／ｃｍ２、時間１秒間、シール幅１０ｍｍ）して、袋を作成した。
【００７５】
作成したの袋の開口部をヒートシールして密閉した後、実施例１と同様にして、シール強度と、開封感と、リシール強度と、繰り返しリシール強度の評価や測定を行った。この結果を第５表に示す。
【００７６】
比較例１
粘着樹脂層（Ｂ）用樹脂としてスチレン−ブタジエン−スチレンブロック共重合体（ＳＢＳ）の水素添加物〔スチレン−エチレン−ブチレン−スチレンブロック共重合体（ＳＥＢＳ）〕の代わりにスチレン−ブタジエン−スチレンブロック共重合体（ＳＢＳ）を用いた以外は実施例１と同様にして、Ａ／Ｂ／Ｃの３層構成で、各層の平均厚さが３５μｍ／１０μｍ／５μｍで、全体厚さが５０μｍの共押出多層フィルム（１′）を得た。
【００７７】
また、前記共押出多層フィルム（１′）の連続成膜を行い、実施例１と同様にして、熱安定性、加工安定性、および、臭気の有無について評価した。
これらの結果を第１表と第２表に示す。
比較例２
粘着樹脂層（Ｂ）用樹脂としてスチレン−ブタジエンブロック共重合体（ＳＢ）の水素添加物（ＨＳＢ）の代わりにスチレン−ブタジエンブロック共重合体（ＳＢ）を用い、スチレン−ブタジエン−スチレンブロック共重合体（ＳＢＳ）の水素添加物〔スチレン−エチレン−ブチレン−スチレンブロック共重合体（ＳＥＢＳ）〕の代わりにスチレン−ブタジエン−スチレンブロック共重合体（ＳＢＳ）を用いた以外は実施例２と同様にして、Ａ／Ｂ／Ｃの３層構成で、各層の平均厚さが３５μｍ／１０μｍ／５μｍで、全体厚さが５０μｍの共押出多層フィルム（２′）を得た。
【００７８】
また、前記共押出多層フィルム（２′）の連続成膜を行い、実施例１と同様にして、熱安定性、加工安定性、および、臭気の有無について評価した。
これらの結果を第１表と第２表に示す。
【００７９】
比較例３
粘着樹脂層（Ｂ）用樹脂としてスチレン−ブタジエンブロック共重合体（ＳＢ）の水素添加物（ＨＳＢ）の代わりにスチレン−ブタジエンブロック共重合体（ＳＢ）を用いた以外は実施例３と同様にして、Ａ／Ｂ／Ｃの３層構成で、各層の平均厚さが３５μｍ／１０μｍ／５μｍで、全体厚さが５０μｍの共押出多層フィルム（３′）を得た。
【００８０】
また、前記共押出多層フィルム（３′）の連続成膜を行い、実施例１と同様にして、熱安定性、加工安定性、および、臭気の有無について評価した。
これらの結果を第１表と第２表に示す。
【００８１】
比較例４
粘着樹脂層（Ｂ）用樹脂としてスチレン−ブタジエンブロック共重合体（ＳＢ）の水素添加物（ＨＳＢ）の代わりにスチレン−ブタジエンブロック共重合体（ＳＢ）を用い、スチレン−イソプレン−スチレンブロック共重合体（ＳＩＳ）の水素添加物〔スチレン−エチレン−プロピレン−スチレンブロック共重合体（ＳＥＰＳ）〕の代わりにスチレン−イソプレン−スチレンブロック共重合体（ＳＩＳ）を用いた以外は実施例４と同様にして、Ａ／Ｂ／Ｃの３層構成で、各層の平均厚さが３５μｍ／１０μｍ／５μｍで、全体厚さが５０μｍの共押出多層フィルム（４′）を得た。
【００８２】
また、前記共押出多層フィルム（４′）の連続成膜を行い、実施例１と同様にして、熱安定性、加工安定性、および、臭気の有無について評価した。
これらの結果を第１表と第２表に示す。
【００８３】
【表１】
2004058568.tif 000002
【００８４】
【表２】
2004058568.tif 000003
【００８５】
【表３】
2004058568.tif 000004
【００８６】
【表４】
2004058568.tif 000005
【００８７】
【表５】
2004058568.tif 000006
【００８８】
【発明の効果】
本発明の多層フィルムは、低臭性で、ゲル、フィッシュアイ、流動乱れ等の外観不良がなく、再封性に優れており、容器の蓋材や袋として好適である。また、本発明の製造方法によれば、本発明の多層フィルムの長時間の連続製造が可能である。